【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
入力されたプログラムを実行して動作する複数の現用機の各々と、最新世代プログラムのソースファイルを記憶する第１の記憶装置を有する開発サーバとが、管理サーバを介して接続され、前記各現用機には緊急端末が接続され、
前記管理サーバが、前記開発サーバから入力された前記最新世代プログラムのソースファイルを前記各現用機に出力して更新させると共に、該ソースファイルを最新世代プログラムのソースファイルとして第２の記憶装置に記憶するバージョン管理システムであって、
前記緊急端末が、
前記現用機の各々で動作しているプログラムのうち緊急に更新することの必要なプログラムを修正した後のプログラム（以下、緊急修正済プログラム）のソースファイルを前記各現用機に出力して更新させる出力手段、を有し、
前記管理サーバが、
前記各現用機から、動作しているプログラムのファイルリストを取得するファイルリスト取得手段と、
前記取得した動作しているプログラムのファイルリストと、前記第２の記憶装置内のソースファイルのファイルリストとを比較する比較手段と、
前記比較の結果差分がある場合、該差分により特定される前記緊急修正済プログラムのソースファイルを前記各現用機から取得するソースファイル取得手段と、
前記取得したソースファイルを、新たな最新世代プログラムのソースファイルとして前記第２の記憶装置に記憶させる更新手段と、を有すること
を特徴とするバージョン管理システム。
【請求項２】
請求項１記載のバージョン管理システムであって、
前記管理サーバが、
前記ファイルリスト取得手段が、所定時間毎に、前記各現用機から、動作しているプログラムのファイルリストを取得し、
前記比較手段が、前記取得した動作しているプログラムのファイルリストと、前記第２の記憶装置内のソースファイルのファイルリストとを比較し、
前記ソースファイル取得手段が、前記比較の結果差分がある場合、該差分により特定される前記緊急修正済プログラムのソースファイルを前記各現用機から取得し、
前記更新手段が、前記取得したソースファイルを、新たな最新世代プログラムのソースファイルとして前記第２の記憶装置に記憶させること
を特徴とするバージョン管理システム。
【請求項３】
請求項２記載のバージョン管理システムであって、
前記管理サーバが、
前記各現用機から取得したソースファイルを前記開発サーバに出力する最新世代プログラム出力手段、をさらに有し、
前記開発サーバが、
前記管理サーバから出力されたソースファイルを新たな最新世代プログラムのソースファイルとして前記第１の記憶装置に記憶させる開発プログラム更新手段、をさらに有すること
を特徴とするバージョン管理システム。
【請求項４】
請求項１乃至３何れか１つに記載のバージョン管理システムであって、
前記管理サーバの前記第２の記憶装置は、最新世代記憶領域、第１世代記憶領域、第２世代記憶領域、第３世代記憶領域を有し、
前記開発サーバ又は前記各現用機からのソースファイルを新たな最新世代プログラムのソースファイルとして記憶させる場合、前記更新手段が、前記第２世代記憶領域内のソースファイルを前記第３世代記憶領域に記憶させ、前記第１世代記憶領域内のソースファイルを前記第２世代記憶領域に記憶させ、前記最新世代記憶領域内のソースファイルを前記第１世代記憶領域に記憶させ、前記新たな最新世代のプログラムのソースファイルを前記最新世代記憶領域に記憶させること
を特徴とするバージョン管理システム。
【請求項５】
入力されたプログラムを実行して動作する複数の現用機の各々と、最新世代プログラムのソースファイルを記憶する第１の記憶装置を有する開発サーバとが、管理サーバを介して接続され、前記各現用機には緊急端末が接続され、
前記管理サーバが、前記開発サーバから入力された前記最新世代プログラムのソースファイルを前記各現用機に出力して更新させると共に、該ソースファイルを最新世代プログラムのソースファイルとして第２の記憶装置に記憶するシステムによるバージョン管理方法であって、
前記緊急端末が、
前記現用機の各々で動作しているプログラムのうち緊急に更新することの必要なプログラムを修正した後のプログラム（以下、緊急修正済プログラム）のソースファイルを前記各現用機に出力して更新させる出力ステップ、を実行し、
前記管理サーバが、
前記各現用機から、動作しているプログラムのファイルリストを取得するファイルリスト取得ステップと、
前記取得した動作しているプログラムのファイルリストと、前記第２の記憶装置内のソースファイルのファイルリストとを比較する比較ステップと、
前記比較の結果差分がある場合、該差分により特定される前記緊急修正済プログラムのソースファイルを前記各現用機から取得するソースファイル取得ステップと、
前記取得したソースファイルを、新たな最新世代プログラムのソースファイルとして前記第２の記憶装置に記憶させる更新ステップと、を実行すること
を特徴とするバージョン管理方法。
【手続補正２】
【補正対象書類名】明細書
【補正対象項目名】０００９
【補正方法】変更
【補正の内容】
【０００９】
本発明は、入力されたプログラムを実行して動作する複数の現用機の各々と、最新世代プログラムのソースファイルを記憶する第１の記憶装置を有する開発サーバとが、管理サーバを介して接続され、前記各現用機には緊急端末が接続され、前記管理サーバが、前記開発サーバから入力された前記最新世代プログラムのソースファイルを前記各現用機に出力して更新させると共に、該ソースファイルを最新世代プログラムのソースファイルとして第２の記憶装置に記憶するバージョン管理システムであって、前記緊急端末が、前記現用機の各々で動作しているプログラムのうち緊急に更新することの必要なプログラムを修正した後のプログラム（以下、緊急修正済プログラム）のソースファイルを前記各現用機に出力して更新させる出力手段、を有し、前記管理サーバが、前記各現用機から、動作しているプログラムのファイルリストを取得するファイルリスト取得手段と、前記取得した動作しているプログラムのファイルリストと、前記第２の記憶装置内のソースファイルのファイルリストとを比較する比較手段と、前記比較の結果差分がある場合、該差分により特定される前記緊急修正済プログラムのソースファイルを前記各現用機から取得するソースファイル取得手段と、前記取得したソースファイルを、新たな最新世代プログラムのソースファイルとして前記第２の記憶装置に記憶させる更新手段と、を有することを特徴とする。
【手続補正３】
【補正対象書類名】明細書
【補正対象項目名】００１０
【補正方法】変更
【補正の内容】
【００１０】
また、前記管理サーバが、前記ファイルリスト取得手段が、所定時間毎に、前記各現用機から、動作しているプログラムのファイルリストを取得し、前記比較手段が、前記取得した動作しているプログラムのファイルリストと、前記第２の記憶装置内のソースファイルのファイルリストとを比較し、前記ソースファイル取得手段が、前記比較の結果差分がある場合、該差分により特定される前記緊急修正済プログラムのソースファイルを前記各現用機から取得し、前記更新手段が、前記取得したソースファイルを、新たな最新世代プログラムのソースファイルとして前記第２の記憶装置に記憶させることを特徴とする。
【手続補正４】
【補正対象書類名】明細書
【補正対象項目名】００１１
【補正方法】変更
【補正の内容】
【００１１】
また、前記管理サーバが、
前記各現用機から取得したソースファイルを前記開発サーバに出力する最新世代プログラム出力手段、をさらに有し、前記開発サーバが、前記管理サーバから出力されたソースファイルを新たな最新世代プログラムのソースファイルとして前記第１の記憶装置に記憶させる開発プログラム更新手段、をさらに有することを特徴とする。